(57)【要約】【課題】従来の車椅子利用者向けの雨具は、着用時の不快感を拭えない雨合羽や利用者の体全体を雨から守ることの出来ない傘を保持する形状のものがほとんどで、車椅子利用者の降雨時の自由な外出を助けるものが無かった。【解決手段】樹脂又は金属による骨組と視界を確保する窓を有した防水布により構成された雨具本体を車椅子本体に予め取付けた支持部品に挿入、固定後、雨具本体頭頂部にある位置固定部品を定位置に固定することによりドーム状の空間を形成し利用者の体全体を覆う。また支持部品はケーブルタイもしくはホースバンド等を用い締め付け固定することにより、任意の部位に平易に固定でき、様々な構造をもつ車椅子にも対応することが出来る。【選択図】図１
0003132668.tif 000002
【実用新案登録請求の範囲】
【請求項１】
樹脂又は金属による骨組部と視界を確保する窓を有した防水布部とからなる雨具本体を、車椅子本体に取付けられた骨組支持部品に脱着することが可能な車椅子用雨具兼日除け
【請求項２】
骨組頭頂部に設けられた位置固定部品により、骨組を望む角度に固定しかつ、骨組を湾曲させることにより骨組部と防水布部に張力を与え、本体自体をひとつのドーム状に形成することが出来る。また本体を骨組支持部品からはずした際は位置固定部品を開放することにより本体を折りたたみ、携行することも可能な車椅子用雨具兼日除け
【請求項３】
骨組末端部に設けられた角度調整部品により、骨組支持部品に固定された骨組末端を骨組部と防水布部からもたらされる張力から最適な角度に調整しかつ、固定することが可能な車椅子用雨具兼日除け
【請求項４】
骨組支持部品をケーブルタイもしくはホースバンド等を用い車椅子本体の任意の部位に締め付けることにより取付けることで、様々な構造をもつ車椅子に取付け可能な車椅子用雨具兼日除け
【考案の詳細な説明】
【技術分野】
【０００１】本考案は車椅子利用者が外出の際、ある程度の風雨を防ぐ雨具兼日除けに関する。
【背景技術】
【０００２】従来、車椅子の雨具としては多くの実用新案、特許が登録されているものの、製品化され車椅子利用者の元へ届くものはきはめて少なかった。既存の雨具としては雨合羽が主流であり、その他として通常の傘を保持し雨を防ぐもの、車椅子の背部フレームに支柱を固定しその上に屋根状の覆いを枢着するものなどがある。（特許文献１参照）【０００３】
【特許文献１】特開２００４−６５８９５号公報
【考案の開示】
【考案が解決しようとする課題】
【０００４】従来の雨合羽は体に密着し、暑さ、寒さなどの不快感を多く感じるだけではなく、顔面や手先など雨合羽で覆うことが出来ない部分が濡れる等の不都合があった。また車椅子利用者の中には身体に重度の障碍を持つ者もおり、急な降雨の際、介助者がいたとしても雨合羽を迅速に着用させることが困難であったり、商店などに入る際、脱ぐのが不便な場合もあった。
通常の傘を保持し雨を防ぐものや、屋根状の覆いは、頭部及び上半身の一部を雨から守ることは出来ても、全身が濡れることを防ぐことは出来なかった。【０００５】本考案はこのような従来の雨具が持つ問題を解決しようとするもので、取付ける車椅子の構造を選ばず、車椅子利用者の全身を雨から守り、容易に着脱しかつ携行が可能な雨具を提供することを目的とする。
【課題を解決するための手段】
【０００６】本考案は以上の点を解決するために以下の構成を採用する。
〈構成１〉樹脂又は金属による骨組部を、視界を確保する窓を有した防水布により覆い、骨組支持部品に取付け頭頂部にある位置固定部品を定位置に固定することによりドーム状の空間を形成し、車椅子利用者を雨から守る構造を特徴とした車椅子用雨具兼日除け。【０００７】〈構成２〉構成１に記載の車椅子用雨具兼日除けにおいて、防水布部には視野確保のための窓が設けられ、かつ本体部が展開したままでの車椅子の乗り降りを可能にするために、ファスナーによる出入口を有することを特徴とする車椅子用雨具兼日除け。【０００８】〈構成３〉構成２に記載の車椅子用雨具兼日除けにおいて、出入口用のファスナーは前後左右４面に設けられ、降雨時で無い場合任意の広さで防水布部を開放し、風通し、視界を確保し日除けとしても活用することが可能であり、かつ後面のファスナーは降雨時に防水布部を全閉した場合、車椅子本体のハンドル部を雨具本体から外部へ排出する役割も果たすことを特徴とする車椅子用雨具兼日除け。【０００９】〈構成４〉構成２に記載の車椅子用雨具兼日除けにおいて、前面の防水布は車椅子利用者の足を覆う長さまで延長されており、車椅子の足置き部に固定することにより車椅子利用者の足を雨から守ることが可能なことを特徴とする車椅子用雨具兼日除け。【００１０】〈構成５〉構成１に記載の車椅子用雨具兼日除けにおいて、骨組み支持部品は市販のケーブルタイもしくはホースバンドなどの固定部品を利用し、締め付けることで固定することにより、様々な構造をもつ車椅子の任意の部位に平易に取付けることが可能なことを特徴とする車椅子用雨具兼日除け。【００１１】〈構成６〉構成１に記載の車椅子用雨具兼日除けにおいて、位置固定部品を開放し骨組み支持部品から取り外すことにより容易に折りたたむことが出来、車椅子背面部に携行用ボルダーを装着すれば降雨に備え携行することも可能なことを特徴とする車椅子用雨具兼日除け。
【考案の効果】
【００１２】本考案の車椅子用雨具兼日除けを利用することにより、既存の雨具では不可能であった利用者の全身を風雨から保護することが可能になる。また、構造の簡潔さから様々な車椅子の構造に対応することが可能である。加えて雨具本体の着脱が容易でありかつ軽量であることから常時携行することが可能になり、急な降雨や商店、交通機関等への持込などにも対応し、今までなにかと制限を受けていた降雨時の車椅子利用者の外出が、平易かつ快適なものになりうる。
【実施例】以下本考案の具体的実施例について、図面に沿って詳述する。【００１３】車椅子１の背あてフレーム２および足置きフレーム３の任意の位置に骨組支持部品５をケーブルタイもしくはホースバンド等を用い仮に締め付け固定する。【００１４】雨具本体の角度調整部品６を骨組支持部品５に挿入し、内蔵されたストッパーによって骨組支持部品５に固定する。【００１５】位置固定部品７を下方に引き、骨組み８と防水布９に適当な張力が加わる定位置でロックする。本体部がドーム型に形成された時点で骨組支持部品を最良の位置に調整した上で完全に締め付け固定し、  角度調整部品６をロックする。骨組支持部品はこのまま常設とし、次回の利用時からは調整の必要は無い。【００１６】前部扉１０を閉め足先保護部１１及び補助固定ベルト１２を最寄りの車椅子フレームもしくは骨組支持部品５に固定する。
【図面の簡単な説明】
【００１７】
【図１】本考案車椅子用雨具兼日除け本体（骨組部）の使用状態の斜視図である。
【図２】本考案車椅子用雨具兼日除け本体（防水布部含む）の使用状態の斜視図である。
【図３】本考案車椅子用雨具兼日除け本体（骨組部）の折畳み状態の斜視図である。
【符号の説明】
【００１８】１  車椅子
２  背あてフレーム
３  足置きフレーム
４  前輪フレーム
５  骨組支持部品
６  角度調整部品
７  位置固定部品
８  骨組
９  防水布
１０前部扉
１１足先保護部
１２補助ベルト
１３窓
１４ファスナー
【図１】
0003132668.tif 000003
【図２】
0003132668.tif 000004
【図３】
0003132668.tif 000005
【手続補正書】
【提出日】平成19年3月26日(2007.3.26)
【手続補正１】
【補正対象書類名】実用新案登録請求の範囲
【補正対象項目名】全文
【補正方法】変更
【補正の内容】
【実用新案登録請求の範囲】
【請求項１】
樹脂又は金属による骨組部と視界を確保する窓を有した防水布部とからなる雨具本体を、車椅子本体に取付けられた骨組支持部品に脱着することが可能な車椅子用雨具兼日除け
【請求項２】
骨組頭頂部に設けられた位置固定部品により、骨組を望む角度に固定しかつ、骨組を湾曲させることにより骨組部と防水布部に張力を与え、本体自体をひとつのドーム状に形成することが出来、また本体を骨組支持部品からはずした際は位置固定部品による骨組の固定を解除することにより本体を折りたたむことを特徴とする請求項１記載の車椅子用雨具兼日除け
【請求項３】
骨組末端部に設けられた角度調整部品により、骨組支持部品に固定された骨組末端を骨組部と防水布部からもたらされる張力から最適な角度に調整しかつ、固定することを特徴とする請求項１記載の車椅子用雨具兼日除け